(57)【要約】【課題】不使用時において刃が隠れていることにより高い安全性を確保できるテープディスペンサーを、その構成が比較的簡単になるように改良する。【解決手段】テープディスペンサーは、テープを切断する刃３６０を備える。刃３６０の前後には前ガード部材３７０と後ガード部材３８０がある。前ガード部材３７０の下方には第１弾性体３３１がある。ロック部材３４０を後方に下げると、前ガード部材３７０の下から、ロック部材３４０の第１係止部３４４が抜け、前ガード部材３７０及び後ガード部材３８０を押し下げ可能となる。それらが下がると刃３６０が露出し、テープを切断できる。テープが切断されると、前ガード部材３７０及び後ガード部材３８０は元の高さに戻る。【選択図】図５
2016169068.tif 000002
【特許請求の範囲】
【請求項１】
少なくともその内側面に粘着剤が塗布されているテープを巻付けたテープ巻体を回転可能に支持することができるようになっている本体と、
前記テープ巻体から引出された前記テープをユーザが所望の長さで切断できるようになっている、前記本体にその刃先が略水平となるようにして取付けられた刃と、
前記刃の前記テープの進行方向における前方と後方の少なくとも一方に位置するようにして前記本体に取付けられた、切断された前記テープの先端付近の前記内側面を貼付けるための略水平な面である着留部を備える着留部材と、略垂直な面である垂直面であるガード面と、
を備えているテープディスペンサーであって、
前記着留部材は、それを上方に付勢する第１弾性体による上方への付勢力によって付勢されており、外力が加えられない状態では、前記付勢力によって、前記着留部が前記刃の前記刃先よりも上方に位置する上位置に位置するようになっているとともに、前記着留部に前記テープの先端付近を貼り付けた状態で前記第１弾性体の前記付勢力に抗して前記テープを押し下げることにより、前記刃に前記ガード面を沿わせながら下方に平行移動し、前記着留部が前記刃の前記刃先よりも下方に位置する下位置に位置するようになっており、
前記下位置に移動した前記着留部材は、前記第１弾性体の付勢力によって前記上位置まで自動的に戻るようになっている、
テープディスペンサー。
【請求項２】
前記上位置にある前記着留部材を下方に平行移動できないようにロックするロック状態と、前記上位置にある前記着留部材を下方に平行移動できるようにするロック解除状態とをとることのできるロック機構を備えている、
請求項１記載のテープディスペンサー。
【請求項３】
前記ロック機構は、それがロック解除状態をとっている間に、前記着留部材が前記上位置から前記下位置に移動し、前記第１弾性体の前記付勢力により前記上位置に戻って来た場合に、ロック状態に再び自動的に戻るようになっている、
請求項２記載のテープディスペンサー。
【請求項４】
前記ロック機構は、前後動可能とされたロック部材を備えており、
前記ロック部材は、前記ロック機構が前方の前位置にあるときに、前記上位置にある前記着留部材の下方に入り込み前記着留部材の下側に係止されることで、前記着留部材が下方に平行移動できないようにするとともに、前記ロック部材が後方の後位置に移動した場合には前記着留部材の下方から抜け、それにより前記着留部材が下方に平行移動できるようにする第１係止部を備えている、
請求項２又は３記載のテープディスペンサー。
【請求項５】
前記ロック機構は、前後動可能とされたロック部材を備えており、且つ前記ロック部材は、それを前方に付勢する第２弾性体による前方への付勢力によって付勢されており、前記第２弾性体による付勢力によって前方へ、また前記第２弾性体による付勢力に抗して後方へ移動できるようになっているとともに、
前記ロック部材は、前記ロック機構が前方の前位置にあるときに、前記上位置にある前記着留部材の下方に入り込み前記着留部材の下側に係止されることで、前記着留部材が下方に平行移動できないようにするとともに、前記ロック部材が後方の後位置に移動した場合には前記着留部材の下方から抜け、それにより前記着留部材が下方に平行移動できるようにする第１係止部を備えており、
前記ロック部材には第２係止部が、前記本体には第３係止部がそれぞれ設けられているとともに、前記第２係止部は、前記ロック機構が前記前位置から前記後位置へ移動したときに、前記第３係止部と係止し合うことで前記ロック部材が、前記第２弾性体からの前記付勢力を受けても前方に移動できないようにするとともに、
前記着留部が前記上位置から前記下位置まで移動すると、前記第２係止部と前記第３係止部の係止を解除する、係止解除手段を備えている、
請求項２又は３記載のテープディスペンサー。
【請求項６】
ユーザがそれを操作することにより、前記下位置に位置する前記着留部材が前記上位置に戻ったときにおいても、前記ロック機構が前記上位置にある前記着留部材をロックしないロック解除状態となるようにするロック解除手段を備えている、
請求項３記載のテープディスペンサー。
【請求項７】
前記着留部材は、前記刃の前後の双方に存在する、
請求項１記載のテープディスペンサー。
【発明の詳細な説明】
【技術分野】
【０００１】
本発明は、テープディスペンサーに関する。
【背景技術】
【０００２】
その少なくとも内側の面に粘着剤が塗布されたテープを巻付けたテープ巻体から、テープを連続的に供給することが可能であるとともに、供給されたテープをユーザが所望の長さで切断することが可能になっているテープディスペンサーが広く普及している。
テープディスペンサーは概ね以下のような構成を備えている。
まず、テープディスペンサーは、本体を備えている。本体は、テープ巻体を回転可能に保持できるようにされている。本体には、また、刃が設けられているとともに、刃のテープの進行方向の前方或いは後方又はその双方に設けられた、テープの先端付近の内側の面を貼り付けることのできる着留部が設けられている。
ユーザがテープの先端を摘んで引っ張るとテープ巻体が回転し、テープがテープ巻体から引き出される。引き出されたテープは、刃に至り、ユーザはテープの長さ方向の適当な部分を、刃で切断することができるようになっている。他方、ユーザは、切断されることによって生じたテープの新たな先端付近の内側面を、刃の前後の少なくとも一方に存在する着留部に貼り付けることにより、切断後のテープの先端から一定の長さの部分を浮かせた状態に保持できる。テープの先端から一定の長さが浮いているので、ユーザは次にテープを引き出す際に、テープの浮いた部分を摘みやすい。
【０００３】
テープディスペンサーにおける本体、刃、及び着留部は必須と呼んでも良い。他の構成を備えるテープディスペンサーも種々提案され、実用化もされているが、上述の３つの要素はテープディスペンサーをテープディスペンサー足らしめるために欠くことができない。
【０００４】
ところで、テープディスペンサーが必須とする刃は、テープを切断する機能を本質的に持つものであるが、それがためにユーザが刃に触れた場合に怪我等が生じるおそれも併せ持つ。
テープディスペンサーはオフィスで使用されることもあるが、家庭で小さな子供に使用されることもある。刃が持つ危険性は大きなものではないが、それが例え僅かなものであってもそれを排除し、安全性を高めた方が、テープディスペンサーにとって好ましいのは自明である。
【０００５】
テープディスペンサーの刃が持つ危険性を減少させるための提案が過去に幾つかなされている。その１つに、刃を隠すというものがある。刃が必要となるのは、テープを切断するその瞬間のみなので、テープを切断する瞬間以外は刃を隠していてもテープディスペンサーの機能には何らの影響もない。テープを切断する瞬間以外は刃を隠すようにすることにより、意図せずにユーザが刃に触れてしまう可能性を減じることが可能となり、結果的にテープディスペンサーの安全性が高まる。
テープを切断する瞬間以外は刃を隠すというアプローチを具体化したものとして、特開２００６−２９０５７２号公報に開示の技術がある。かかるテープディスペンサーでは、本体に、刃の前方に位置する着留部を持つ着留部材が上下動可能として取付けられている。また、刃の両側方には、そのそれぞれが刃の長さの半分の長さを持ち、且つその基端がヒンジ接続されたアーム状の刃先ガードが設けられている。
２つの刃先ガードは着留部材と連動して動くようになっている。具体的には、刃先ガードと着留部材とは、以下のように動作する。まず、テープディスペンサーが使用されていない状態では、着留部材は下方に位置しており、また２つの刃先ガードは、刃と平行を保つようにして刃の直上に位置している。つまり、テープディスペンサーが使用されていない状態では、刃先ガードによって刃が隠されている。テープを引き出すためにテープに張力を入れると、それに伴って、テープの先端付近がその着留部に貼り付けられている着留部材が引き上げられる。着留部材が上方に引き上げられると、２つの刃先ガードは、跳ね上げタイプの橋のように、その基端を軸に回転して、刃の両側で立ち上がった状態となる。そうすると、隠れていた刃が露出する状態となる。その状態で、ユーザは、テープの所望の位置を刃で切断することができる。テープを切断する際にテープを刃に押し付けると、テープの先端付近は着留部を下方に押す。これにより着留部材が下方に移動し、それに伴って刃先ガードは元の位置に戻る。
【発明の概要】
【発明が解決しようとする課題】
【０００６】
刃先ガードを備えたテープディスペンサーは確かに、その安全性が高い。
しかしながら、かかるテープディスペンサーでは、２つの刃先ガードに回転運動を行わせる必要があり、またその回転運動は着留部材の上下運動に連動するものであるから、直線運動を回転運動に変換するための何らかの運動変換機構が必要となり、その構成が複雑になるとともに、価格が高くなりやすい。
また、上述のテープディスペンサーを本願出願人が試作したところ、上述の運動変換機構を余程精度良く作れば話は別であるが、上述のテープディスペンサーの場合においては、テープを引き出すためにテープに張力を入れた場合であっても、２つの刃先ガードがうまく回転せず刃が露出しないことがままあった。そのようなことが生じると、テープディスペンサーの本来的な性能が満たされないことになる。もっとも、上述の運動変換機構の精度をより高めれば刃先ガードがうまく機能しないという問題は解消可能であろうが、そうすると、ただでさえ高くなり易いテープディスペンサーの価格が益々高くなってしまう可能性が高い。
【０００７】
本願発明は、不使用時において刃が隠れていることにより高い安全性を確保できるテープディスペンサーを、その構成が比較的簡単になるように改良することを課題とする。
【課題を解決するための手段】
【０００８】
上述の課題を解決するものとして、本願発明者は以下の発明を提案する。
本願発明は、少なくともその内側面に粘着剤が塗布されているテープを巻付けたテープ巻体を回転可能に支持することができるようになっている本体と、前記テープ巻体から引出された前記テープをユーザが所望の長さで切断できるようになっている、前記本体にその刃先が略水平となるようにして取付けられた刃と、前記刃の前記テープの進行方向における前方と後方の少なくとも一方に位置するようにして前記本体に取付けられた、切断された前記テープの先端付近の前記内側面を貼付けるための略水平な面である着留部を備える着留部材と、略垂直な面である垂直面であるガード面と、を備えているテープディスペンサーである。
このテープディスペンサーにおける前記着留部材は、それを上方に付勢する第１弾性体による上方への付勢力によって付勢されており、外力が加えられない状態では、前記付勢力によって、前記着留部が前記刃の前記刃先よりも上方に位置する上位置に位置するようになっているとともに、前記着留部に前記テープの先端付近を貼り付けた状態で前記第１弾性体の前記付勢力に抗して前記テープを押し下げることにより、前記刃に前記ガード面を沿わせながら下方に平行移動し、前記着留部が前記刃の前記刃先よりも下方に位置する下位置に位置するようになっており、前記下位置に移動した前記着留部材は、前記第１弾性体の付勢力によって前記上位置まで自動的に戻るようになっている。
かかるテープディスペンサーは、テープの先端付近を貼付ける着留部を有する着留部材を有している。着留部材は、略垂直の面であるガード面を備えており、ガード面を刃の刃先（刃のうち切断に寄与する部分）に沿わせつつ、上位置と下位置との間で上下動可能となっている。着留部材の上下動は、下方向にそれが平行移動する場合においては、テープを切断するために、その先端付近を着留部材に貼り付けたテープを第１弾性体の付勢力に抗して下方に引下げることにより、上方向にそれが平行移動する場合においては、第１弾性体が着留部材に与える上方向の付勢力により、それぞれ行われる。
着留部材が下位置にまで下がると、着留部が刃の刃先よりも下がって刃先が露出するので、テープを刃で切断できるようになる。着留部材が上位置にある場合を含めて、着留部材が下位置まで下がらないうちは、着留部材が刃先に沿った状態となっている。着留部が例えば刃先の前後のいずれか一方のみにしか存在しなかったとしても、この状態であれば、ユーザが刃で例えばその指先を怪我するような事態を防ぐことができる。つまり、このテープディスペンサーは、刃でテープを切断すべきときのみ刃が露出し、それ以外のときにおいては刃にガード面が沿った状態となっているので、安全性が高い。
しかも、上述したように、かかる安全性の高さを担保する着留部材の移動は、下方向の移動の場合にも、平行移動であり、平行移動を回転に変換するための機構も必要ないから、その構成は比較的簡単であり、その動作の確実さを確保することが比較的容易であるとともに、コスト的にも大きな問題を生じにくい。
なお、このテープディスペンサーは、構成が比較的簡単とはいえ、着留部材を小さくするにはある程度の制限があるので、手持ちで用いられるものではなく、卓上型ないし、据置型のテープディスペンサーに応用するのが好ましい。
本願発明における、上下、前後の概念は、本体がデスクの天板などの所定の平面に載置された状態を意図している。また、本願発明の前後の概念は、引出されたテープが刃を通過する場合における進行方向を前とし、それを基準としている。
【０００９】
本願発明のテープディスペンサーは、前記上位置にある前記着留部材を下方に平行移動できないようにロックするロック状態と、前記上位置にある前記着留部材を下方に平行移動できるようにするロック解除状態とをとることのできるロック機構を備えていても良い。
テープディスペンサーの刃の危険性は、テープを切断するときにも生じるが、そもそもテープディスペンサーを使用していないときにも生じ得る。上述の如きロック機構を設けるテープディスペンサーであれば、テープディスペンサーがそもそも使用されない場合には、ロック機構を、着留部材をロックするロック状態とすることにより、刃が物を切断できない状態を保つことができるようになる。
他方、テープディスペンサーを用いる場合には、ロック機構をロック解除状態とすれば良い。
ロック機構のロック状態とロック解除状態の切り替えは、例えば、ユーザが手動で行えるようにすると良い。ボタンを押す、ツマミをスライドさせる、或いは回転させる等の簡単な操作で、それが行えるようになるとなお良い。ロック機構をロック状態からロック解除状態に切り替えるときに、ボタンやツマミを操作する方向は、着留部材の上位置から下位置への平行移動の方向とは異なる向きとする方がなおよい。それらの操作の方向と、着留部材の上位置から下位置への平行移動の方向が同じであると、ユーザが意図せずにボタンやツマミを操作したときにそれと同時に着留部材が下位置へ移動してしまって（つまりワンアクションで着留部材が下位置へ移動してしまって）、ユーザが意図しないのに刃が物を切断出来る状態で露出するおそれがあるからである。
【００１０】
前記ロック機構は、それがロック解除状態をとっている間に、前記着留部材が前記上位置から前記下位置に移動し、前記第１弾性体の前記付勢力により前記上位置に戻って来た場合に、ロック状態に再び自動的に戻るようになっていても良い。
上述したようにロック機構は、ロック状態からロック解除状態への切り替えと、ロック解除状態からロック状態への切り替えの双方を、ユーザに任せることも可能である。とは言え、ロック解除状態からロック状態への切り替えをユーザのボタンやツマミの操作に委ねたとするのであれば、もうテープディスペンサーが使用されないという段で、ユーザがロック機構をロック解除状態からロック状態へ切り替えるのを忘れる恐れがある。他方、ロック機構のロック解除状態からロック状態への切り替えを自動的に行うようにすれば、ユーザは、テープの切断のために、ボタンやツマミの操作が必要となるため、ユーザの面倒は増えるものの、テープディスペンサーの安全性を高めるには有益である。
【００１１】
本願発明のロック機構がどのようにして、上位置にある着留部材が下方に移動しないようにするか、言い換えればロック状態を実現するかには、特に制限はない。
例えば、前記ロック機構は、前後動可能とされたロック部材を備えており、前記ロック部材は、前記ロック機構が前方の前位置にあるときに、前記上位置にある前記着留部材の下方に入り込み前記着留部材の下側に係止されることで、前記着留部材が下方に平行移動できないようにするとともに、前記ロック部材が後方の後位置に移動した場合には前記着留部材の下方から抜け、それにより前記着留部材が下方に平行移動できるようにする第１係止部を備えていても良い。
第１係止部を有するロック部材の前後動という簡単な機構により、ロック機構によるロック状態が簡単に実現できる。しかもこの場合のロック部材の移動の方向は、着留部材の上位置から下位置への移動の方向と直交するものであるため、ロック部材に設けたボタンやツマミをユーザが単純に押したり、引いたりしてスライドさせるという操作は、上述したワンアクションでの着留部材の下位置への移動を防ぐにも有用である。
【００１２】
ロック機構は、以下のようなものでも良い。
前記ロック機構は、前後動可能とされたロック部材を備えており、且つ前記ロック部材は、それを前方に付勢する第２弾性体による前方への付勢力によって付勢されており、前記第２弾性体による付勢力によって前方へ、また前記第２弾性体による付勢力に抗して後方へ移動できるようになっていてもよい。この場合、前記ロック部材は、前記ロック機構が前方の前位置にあるときに、前記上位置にある前記着留部材の下方に入り込み前記着留部材の下側に係止されることで、前記着留部材が下方に平行移動できないようにするとともに、前記ロック部材が後方の後位置に移動した場合には前記着留部材の下方から抜け、それにより前記着留部材が下方に平行移動できるようにする第１係止部を備えていても良い。この場合における前記ロック部材には第２係止部が、前記本体には第３係止部がそれぞれ設けられているとともに、前記第２係止部は、前記ロック機構が前記前位置から前記後位置へ移動したときに、前記第３係止部と係止し合うことで前記ロック部材が、前記第２弾性体からの前記付勢力を受けても前方に移動できないようにするとともに、前記着留部が前記上位置から前記下位置まで移動すると、前記第２係止部と前記第３係止部の係止を解除する、係止解除手段を備えていてもよい。
このロック機構でも、第１係止部を有するロック部材は前後動を行う。ただし、この場合のロック部材は、第２弾性体によって常に前方に付勢されている。ロック部材は後方の後位置に位置したときに、その第２係止部が、本体に設けられた第３係止部に係止されることにより、前方の前位置に移動できなくなる。これは、ロック部材を操作して、ロック機構をロック状態からロック解除状態としたときに、ロック解除状態が維持される、ということを意味している。ユーザは、ロック解除状態が維持されている間に、テープの切断を行えば良い。他方、ユーザがテープを切断すると、その過程で着留部材が下位置に至り、第２係止部と第３係止部の係止は解かれる。これにより、第２係止部を有するロック部材は、第２弾性体からの前向きの付勢力により前方の前位置にまで移動する。
つまり、このテープディスペンサーでは、テープを切断するたびに、ロック機構が自動的に、ロック解除状態からロック状態に戻ることになる。
【００１３】
本願発明のテープディスペンサーは、ユーザがそれを操作することにより、前記下位置に位置する前記着留部材が前記上位置に戻ったときにおいても、前記ロック機構が前記上位置にある前記着留部材をロックしないロック解除状態となるようにするロック解除手段を備えていても良い。
上述したように、ロック機構は、テープディスペンサーの安全性を高めるには有効である。しかしながら、ロック機構が、テープを切断するたびに、つまり着留部材が下位置に移動するたびに、自動的にロック状態に戻るものとすると、上述したように、ユーザの面倒は増える。
他方、ユーザにおいて、明らかに、連続してテープを切断したいときが存在する。そのような場合に、ロック解除手段をユーザが操作して、ロック機構が、テープの切断があってもロック解除状態を保つようにすることができれば、ユーザの面倒を軽減することができる。
【００１４】
着留部材は、上述したように、刃の前後の少なくとも一方のみに存在していれば足りる。もっとも着留部材は、前記刃の前後の双方に存在しても良い。着留部材が刃の前後の双方に存在する場合、着留部は刃の前後の少なくとも一方に存在すれば良いし、ガード面も、刃の前後の少なくとも一方に存在すれば良い。
【図面の簡単な説明】
【００１５】
【図１】第１実施形態によるテープディスペンサーの斜視図。
【図２】図１に示したテープディスペンサーの使用状態を示す側面図。
【図３】図１に示したテープディスペンサーの、（Ａ）は切断ユニットを左前方から見た状態を示す斜視図、（Ｂ）は切断ユニットの平面図、（Ｃ）は切断ユニットを左後方から見た状態を示す斜視図、（Ｄ）は切断ユニットの正面図、（Ｅ）は切断ユニットの左側面図、（Ｆ）は切断ユニットの背面図。
【図４】図１に示したテープディスペンサーの切断ユニットの分解斜視図。
【図５】図３（Ｂ）におけるＡ−Ａ断面図。
【図６】図１に示したテープディスペンサーの使用時の状態を示す、図３（Ｂ）におけるＡ−Ａ断面図に相当する断面図。
【図７】図１に示したテープディスペンサーの使用時の状態を示す、図３（Ｂ）におけるＡ−Ａ断面図に相当する断面図。
【図８】第２実施形態におけるテープディスペンサーの切断ユニットの分解斜視図。
【図９】第２実施形態におけるテープディスペンサーの切断ユニットの２つの操作方法を説明するための正面図。
【発明を実施するための形態】
【００１６】
以下、本発明のテープディスペンサーの好ましい第１、及び第２実施形態について、図面を参照して詳細に説明する。
なお、各実施形態において、重複する対象には重複する符号を付すものとし、重複する説明は場合により省略するものとする。
【００１７】
≪第１実施形態≫
第１実施形態によるテープディスペンサーの斜視図を図１に、その概略の側面図を図２に示す。
このテープディスペンサーは、卓上タイプのものとされている。
このテープディスペンサーは、後述する切断ユニットの構成を除いて、通常のテープディスペンサーの構成と同様のものとすることができる。
【００１８】
テープディスペンサーは、本体１００を備えている。本体１００はテープディスペンサーをデスクの天板等の所定の水平面上に載置した場合に、安定を保てるような形状、大きさ、重さを有するものとなっている。
本体１００には、テープ１を巻き付けたテープ巻体２を回転可能にして収納するための溝状とされた収納部１１０が設けられている。テープ１、テープ巻体２ともに公知のもので良いが、テープ１は粘着テープである。テープ１の少なくとも内側面（テープ巻体２に巻き付けられた状態で、中心側に位置する面）には粘着層が設けられているが、この実施形態では、テープ１の内側面のみに粘着層が設けられている。
本体１００の収納部１１０の後方には有底の穴であるポケット１２０が設けられている。ポケット１２０は、ユーザが小物を収納するために用いられる。小物の例としては、ハサミ、定規、筆記具等である。
収納部１１０の縁には案内溝１１１が設けられている。図２の側面図に示されたように、案内溝１１１は、下方に向けて伸びており、その下端付近で幾らか曲折している。案内溝１１１は、後述するリールを回転可能に支持するためのものである。
【００１９】
本体１００には、リール２００が取付けられる。リール２００は、その外周にテープ巻体２を着脱自在に取付けることのできるリール本体部２１０と、その中心から左右に突出する軸２２０とを備えている。軸２２０の径は、案内溝１１１の幅よりも幾らか小さくなっている。
リール２００の両側の軸２２０を、２つの案内溝１１１に入れて案内溝１１１の下端まで導くことにより、リール２００は案内溝１１１の下端を中心として回転自在な状態で、本体１００に対して取付けられることになる。
テープ巻体２を交換する場合には、リール２００を、その２つの軸２２０を案内溝１１１で案内させながら上側に引抜けば良い。新しいテープ巻体２をリール２００に取付けたら、上述した方法で、再度テープ巻体２を取付けたリール２００を、本体１００に対して取付ける。
リール２００とともに回転するテープ巻体２からは、巻解かれたテープ１が伸びるようになっている。
【００２０】
本体１００の前方には、切断ユニット３００が設けられている。
切断ユニット３００の構成を、図３〜５を用いて説明する。
図３の、（Ａ）は切断ユニット３００を左前方から見た状態を示す斜視図、（Ｂ）は切断ユニット３００の平面図、（Ｃ）は切断ユニット３００を左後方から見た状態を示す斜視図、（Ｄ）は切断ユニット３００の正面図、（Ｅ）は切断ユニット３００の左側面図、（Ｆ）は切断ユニット３００の背面図である。図４は、切断ユニット３００の分解斜視図、図５は、切断ユニット３００の図３（Ｂ）におけるＡ−Ａ断面図である。
【００２１】
切断ユニット３００は、図３に示したように、略直方体形状のユニット本体３１０を備えており、それに後述する種々の部品を組み付けてなる。なお、切断ユニット３００は、後述する２つの弾性体を除いて、すべて樹脂製である。
ユニット本体３１０は、その下方に位置する箱型のユニット本体部３１１と、ユニット本体部３１１の前方から上方に向かって突出するユニット本体突出部３１２とを備えている。
【００２２】
ユニット本体３１０は、例えば図４に示されたように、略左右対称に構成された、右本体３１０Ｒと、左本体３１０Ｌとを組合せて構成されている。後述するホゾとホゾ穴以外のすべてにおいて、右本体３１０Ｒと、左本体３１０Ｌとは左右対称である。
右本体３１０Ｒと、左本体３１０Ｌはそれぞれ、その両外側に、側面板３１０Ｒ１、３１０Ｌ１を備えている。側面板３１０Ｒ１、３１０Ｌ１はともに、略Ｌ字型である。側面板３１０Ｒ１、３１０Ｌ１の下方の前後方向の幅の広い部分が、右本体３１０Ｒと、左本体３１０Ｌを組合せたときにユニット本体部３１１を構成し、側面板３１０Ｒ１、３１０Ｌ１の上方の前後方向の幅の狭い部分が、右本体３１０Ｒと、左本体３１０Ｌを組合せたときにユニット本体突出部３１２を構成するようになっている。
【００２３】
両側面板３１０Ｒ１、３１０Ｌ１の前側にはそれぞれ、前板３１０Ｒ２、３１０Ｌ２が接続されている。前板３１０Ｒ２、３１０Ｌ２はともに矩形である。前板３１０Ｒ２、３１０Ｌ２の互いに対向する、右本体３１０Ｒと、左本体３１０Ｌが固定されたときに突き合わされる面にはそれぞれ、ホゾ３１０Ｒ２１と、ホゾ穴（図示を省略）が設けられている。右本体３１０Ｒと、左本体３１０Ｌが固定される場合には、ホゾ３１０Ｒ２１が、ホゾ穴に挿入されるようになっている。このときにおける両者の固定は、両者の表面同士の間に生じる摩擦力によるのみでも良いし、接着剤を用いても良い。もちろん、右本体３１０Ｒと、左本体３１０Ｌを固定する場合には、ネジやビスなどの他の物理的な固定の手段を用いても良いが、これに限らず、切断ユニット３００における部材間の固定については、特に説明を加えない限りどのような公知、或いは周知技術を用いても良い。
右本体３１０Ｒと、左本体３１０Ｌが固定されたときにおける前板３１０Ｒ２、３１０Ｌ２を、図４以外では、簡単のために前板３１０２と表記するものとする。
【００２４】
両側面板３１０Ｒ１、３１０Ｌ１の前板３１０Ｒ２、３１０Ｌ２の上方、より詳細には、両側面板３１０Ｒ１、３１０Ｌ１の前後方向の幅が切り替わるあたりには、水平な面を有する切欠きである第１切欠き３１０Ｒ３（側面板３１０Ｌ１に設けられている分については図４に現れていない。）が設けられている。
かかる第１切欠き３１０Ｒ３は、右本体３１０Ｒと、左本体３１０Ｌを組合せたときに、後述する支持板を、ユニット本体３１０に固定するために用いられる。
右本体３１０Ｒと、左本体３１０Ｌが固定されたときにおける第１切欠き３１０Ｒ３を、図４以外では、簡単のために、第１切欠き３１０３と表記するものとする。
【００２５】
両側面板３１０Ｒ１、３１０Ｌ１の前板３１０Ｒ２、３１０Ｌ２の上方、より詳細には、両側面板３１０Ｒ１、３１０Ｌ１の前後方向の幅が切り替わるあたりには、略水平の水平板３１０Ｒ４、３１０Ｌ４が設けられている。水平板３１０Ｒ４、３１０Ｌ４は略矩形であるが、右本体３１０Ｒと、左本体３１０Ｌを固定した場合には、両者の間に隙間が生じるようになっている。水平板３１０Ｒ４、３１０Ｌ４の互いに対向する、その内側の面にはそれぞれ、水平案内溝３１０Ｒ４１（水平板３１０Ｌ４に設けられている分については図４に現れていない。）、が設けられている。
水平板３１０Ｒ４、３１０Ｌ４は、右本体３１０Ｒと、左本体３１０Ｌを組合せたときに、後述するロック部材を、ユニット本体３１０に取付けるために用いられる。後述するように、ロック部材は前後動可能としてユニット本体３１０に対して取付けられるが、水平案内溝３１０Ｒ４１は、そのときロック部材を案内して、ロック部材の前後動を助ける役割を担う。
水平板３１０Ｒ４、３１０Ｌ４の互いに対向する、その内側の面の後端には、上下方向に走る、断面矩形の溝である縦溝３１０Ｒ４２（水平板３１０Ｌ４に設けられている分については図４に現れていない。）が設けられている。縦溝３１０Ｒ４２は、右本体３１０Ｒと、左本体３１０Ｌを組合せたときに、後述する押え板を、ユニット本体３１０に取付けるために用いられる。
右本体３１０Ｒと、左本体３１０Ｌが固定されたときにおける水平板３１０Ｒ４、３１０Ｌ４を、図４以外では、簡単のために、水平板３１０４と表記するものとする。
【００２６】
両側面板３１０Ｒ１、３１０Ｌ１の略水平の水平板３１０Ｒ４、３１０Ｌ４の上方には、断面矩形の梁３１０Ｒ５、３１０Ｌ５が設けられている。
梁３１０Ｒ５、３１０Ｌ５の両先端の互いに対向する、右本体３１０Ｒと、左本体３１０Ｌを固定したときに突き合わされる面にはそれぞれ、ホゾ３１０Ｒ５１と、ホゾ穴（図示を省略）が設けられている。右本体３１０Ｒと、左本体３１０Ｌが固定される場合には、ホゾ３１０Ｒ５１が、ホゾ穴に挿入されるようになっている。
梁３１０Ｒ５、３１０Ｌ５の下方には、その前側から後側にかけて梁３１０Ｒ５、３１０Ｌ５の上下方向の高さが下方方向に徐々に増すようにして設けられた、第３係止部３１０Ｒ５２（梁３１０Ｌ５に設けられている分については図４に現れていない。）が設けられている。
梁３１０Ｒ５、３１０Ｌ５は、右本体３１０Ｒと、左本体３１０Ｌを組合せたときに、後述する刃を固定するために用いられる。第３係止部３１０Ｒ５２は、右本体３１０Ｒと、左本体３１０Ｌを組合せたときに、後述する第２係止部との係止を実現するために用いられる。
右本体３１０Ｒと、左本体３１０Ｌが固定されたときにおける梁３１０Ｒ５、３１０Ｌ５を、図４以外では、簡単のために、梁３１０５と表記するものとする。右本体３１０Ｒと、左本体３１０Ｌが固定されたときにおける第３係止部３１０Ｒ５２を、図４以外では、簡単のために、第３係止部３１０５２と表記するものとする。
【００２７】
梁３１０Ｒ５、３１０Ｌ５の後方には、板状の第２水平板３１０Ｒ６（梁３１０Ｌ５に設けられている分については図４に現れていない。）が設けられている。第２水平板３１０Ｒ６は平面視で略矩形である。
第２水平板３１０Ｒ６、３１０Ｌ６の互いに対向する、右本体３１０Ｒと、左本体３１０Ｌを固定したときに突き合わされる面にはそれぞれ、平面視矩形の切欠きである第２切欠き３１０Ｒ６１（梁３１０Ｌ５に設けられた第２水平板に設けられている分については図４に現れていない。）が設けられている。２つの第２水平板３１０Ｒ６を突き合わせたとき、第２水平板３１０Ｒ６にそれぞれ設けられた第２切欠き３１０Ｒ６１が組合せられて、矩形の孔が生じるようになっている。
右本体３１０Ｒと、左本体３１０Ｌが固定されたときにおける第２水平板３１０Ｒ６を、図４以外では、簡単のために、第２水平板３１０６と表記するものとする。また、右本体３１０Ｒと、左本体３１０Ｌが固定されたときにおける２つの第２水平板３１０Ｒ６にそれぞれ設けられた第２切欠き３１０Ｒ６１が組合せられてできる矩形の孔を、図４以外では、簡単のために、孔３１０６１と表記するものとする。
孔３１０６１は、後述する、ロック解除棒を貫通させるためのものである。
【００２８】
梁３１０Ｒ５、３１０Ｌ５の前方の側面板３１０Ｒ１、３１０Ｌ１の内側には、平面視矩形の断面を持つ縦案内溝３１０Ｒ７、３１０Ｌ７が設けられている。
縦案内溝３１０Ｒ７、３１０Ｌ７は、右本体３１０Ｒと、左本体３１０Ｌを固定したときに、上下動可能として、ユニット本体３１０に取付けられる、後述する前ガード部材の両端を案内するためのものである。
【００２９】
梁３１０Ｒ５、３１０Ｌ５の後方の側面板３１０Ｒ１、３１０Ｌ１の内側には、平面視矩形の断面を持つ縦案内切欠き３１０Ｒ８、３１０Ｌ８が設けられている。
縦案内切欠き３１０Ｒ８、３１０Ｌ８は、右本体３１０Ｒと、左本体３１０Ｌを固定したときに、上下動可能として、ユニット本体３１０に取付けられる、後述する後ガード板の両端を案内するためのものである。
【００３０】
両側面板３１０Ｒ１、３１０Ｌ１の後側にはそれぞれ、後板３１０Ｒ９、３１０Ｌ９が接続されている。後板３１０Ｒ９、３１０Ｌ９はともに矩形である。後板３１０Ｒ９、３１０Ｌ９の互いに対向する、右本体３１０Ｒと、左本体３１０Ｌが固定されたときに突き合わされる面にはそれぞれ、ホゾ３１０Ｒ９１と、ホゾ穴（図示を省略）が設けられている。右本体３１０Ｒと、左本体３１０Ｌが固定される場合には、ホゾ３１０Ｒ９１が、ホゾ穴に挿入されるようになっている。
右本体３１０Ｒと、左本体３１０Ｌが固定されたときにおける後板３１０Ｒ９、３１０Ｌ９を、図４以外では、簡単のために後板３１０９と表記するものとする。
【００３１】
切断ユニット３００は、また、支持板３２０を備えている。支持板３２０は、平面視で略矩形の板である。支持板３２０の左右の前方には、断面視矩形の小さな切欠きである小切欠き３２１が設けられている。
右本体３１０Ｒと、左本体３１０Ｌが固定されたときに、支持板３２０は、両側面板３１０Ｒ１、３１０Ｌ１に設けられた第１切欠き３１０Ｒ３が備える水平な平面によって下から支持される。そのとき小切欠き３２１の内側の面は、第１切欠き３１０Ｒ３が存在する部分の両側面板３１０Ｒ１、３１０Ｌ１の外側の面に当接させられ、小切欠き３２１の前側の面は、第１切欠き３１０Ｒ３が存在する部分の両側面板３１０Ｒ１、３１０Ｌ１の後側の面に当接させられる。
支持板３２０の長さ方向の略中心には、断面円形の突起である第１突起３２２が設けられている。第１突起３２２には、第１弾性体３３１の下端が固定される。これには限られないが、この実施形態における第１弾性体３３１は、コイルバネである。第１突起３２２をコイルバネである第１弾性体３３１の下端内側に嵌め込むことにより、第１弾性体３３１は、第１突起３２２に固定される。
【００３２】
切断ユニット３００は、また、ロック部材３４０を備えている。ロック部材３４０は樹脂製の一体物である。
ロック部材３４０は、平面視で略矩形の板であるロックベース３４１を備えている。ロックベース３４１の両側には、断面矩形の棒状のガイド棒３４２が形成されている。ガイド棒３４２の断面形状は、水平板３１０Ｒ４、３１０Ｌ４に設けられた水平案内溝３１０Ｒ４１の断面形状に対応した形状とされている。右本体３１０Ｒと、左本体３１０Ｌが固定されたとき、２つのガイド棒３４２は、水平案内溝３１０Ｒ４１に嵌め込まれた状態となる。ガイド棒３４２を水平案内溝３１０Ｒ４１によって案内されながら、ロック部材３４０は切断ユニット３００に対して前後動可能となる。
ロックベース３４１の先端には、略直方体形状とされたボタン部３４３が設けられている。ボタン部３４３は、それをユーザが後方に押し込む動作を行い易いような大きさ、形状とされている。それが可能な限りにおいて、ボタン部３４３の大きさ、形状は、図４等に示した通りである必要はない。
ロックベース３４１のボタン部３４３のやや後方の左右方向の両側にはそれぞれ、上方に突出する第１係止部３４４が設けられている。この実施形態における第１係止部３４４は、これには限られないが、略直方体形状である。第１係止部３４４の上側の面は、水平な面となっている。
ロックベース３４１の後方寄りの部分には、ロックベース３４１から立ち上がるようにされた板バネ３４５が設けられている。板バネ３４５は、その弾性力に抗してその先端を押し下げることが可能であるが、下向きの力がはたらかない状態では、それが持つバネ性によって、図４で示した位置に復帰するようになっている。板バネ３４５の前側の先端には、側面視で略三角形状の第２係止部３４５Ａが設けられている。第２係止部３４５Ａの機能については後述する。
ロックベース３４１の後面の左右方向の中心には、断面円形の突起である第２突起３４６が設けられている（図５）。第２突起３４６には、第２弾性体３３２の前端が固定される。これには限られないが、この実施形態における第２弾性体３３２は、コイルバネである。第２突起３４６をコイルバネである第２弾性体３３２の前端内側に嵌め込むことにより、第２弾性体３３２は、第２突起３４６に固定される。
ロックベース３４１のボタン部３４３の後側から、板バネ３４５の基端までの間には、その幅が第１係止部３４４の間隔と略等しいロックベース３４１を貫通する孔である貫通孔３４７が設けられている。貫通孔３４７は、上述した第１弾性体３３１を上下方向に貫通させるためのものである（図５）。
【００３３】
切断ユニット３００は、押え板３５０を備えている。押え板３５０は、略矩形の板である。押え板３５０の正面の左右の幅方向の中心には、断面円形の突起である第３突起３５１が設けられている。
押え板３５０は、右本体３１０Ｒと、左本体３１０Ｌが固定されたときに、水平板３１０Ｒ４、３１０Ｌ４の縦溝３１０Ｒ４２によってその両端を挟持されることにより、切断ユニット３００に対して固定的に取付けられる。押え板３５０の厚さは、縦溝３１０Ｒ４２の幅に略対応している。
押え板３５０の第３突起３５１には、第２弾性体３３２の後端が固定される。コイルばねである第２弾性体３３２の後端と第３突起３５１の固定の方法は、第２弾性体３３２とロック部材３４０の第２突起３４６との固定の方法に倣うことができ、これには限られないが、この実施形態ではそうされている。
上述したように、ロック部材３４０は、切断ユニット３００に対して前後動を行うことができるようになっている。そして、ロック部材３４０の後面に設けられた第２突起３４６と、押え板３５０の前面に設けられた第３突起３５１とはそれぞれ、第２弾性体３３２の前端と後端に固定されている。したがって、ロック部材３４０のボタン部３４３を後方に押すと、ロック部材３４０は、第２弾性体３３２の前方への付勢力に抗して後方へと移動することになり、ユーザがボタン部３４３を押すのを止め、ボタン部３４３から手を離すと、ロック部材３４０には前方に移動させようとする力が第２弾性体３３２からはたらくことになる。
前後動するロック部材３４０が最も前に位置する状態を図５に、ロック部材３４０が最も後ろに位置する状態を図６、７に示している。前者のロック部材３４０の位置を前位置、後者のロック部材３４０の位置を後位置と呼ぶことにする。
【００３４】
切断ユニット３００は、刃３６０を備えている。刃３６０は、図４に示したように正面からみて矩形である。刃３６０の上端が、物を切断する機能を有する刃先３６１である。
刃３６０は、左本体３１０Ｌを固定したときにその先端が互いに突き合わされる梁３１０Ｒ５、３１０Ｌ５の前面に、梁３１０Ｒ５、３１０Ｌ５の突き合わされた部分が刃３６０の左右の幅方向の中心と一致するようにして、且つ刃先３６１が水平になるようにして固定される。固定された刃３６０の刃先３６１は、梁３１０５の幾らか上に位置する状態となっている（図５）。
刃３６０の梁３１０５への固定の方法は、これには限られないが、例えば、接着剤を用いた接着によって行うことができる。
【００３５】
切断ユニット３００は、前ガード部材３７０を備えている。前ガード部材３７０は、本願発明でいう、刃３６０の前側にある着留部材の一例に相当する。前ガード部材３７０は、板状の前ガード部３７１と、前ガード部３７１よりも厚く形成され、前ガード部３７１の両端に縦向きに設けられた、前ガード案内部３７２とを備えて構成されている。これには限られないが、この実施形態における前ガード部３７１の上面と、２つの前ガード案内部３７２の上面とは、面一となっており、前ガード部３７１の下面と、２つの前ガード案内部３７２の下面とは、面一となっている。なお、２つの前ガード案内部３７２の後面にはそれぞれ、後述する後ガード板を取付けるための穴が設けられているが、この穴の図示は省略する。
前ガード部３７１の下面の左右の幅方向の中央には、断面円形の突起である第４突起３７３が設けられている。第４突起３７３には、第１弾性体３３１の上端が固定される。第４突起３７３をコイルバネである第１弾性体３３１の上端に固定する方法は、第１弾性体３３１の下端を第１突起３２２に固定する方法に倣うことができ、これには限られないが、この実施形態ではそうされている。
前ガード部材３７０は、右本体３１０Ｒと、左本体３１０Ｌが固定されたときに、その左右の前ガード案内部３７２が側面板３１０Ｒ１、３１０Ｌ１の縦案内溝３１０Ｒ７、３１０Ｌ７に嵌った状態で、切断ユニット３００に対して取付けられる。この状態で、前ガード部材３７０の前ガード部３７１の後面は、刃３６０に平行で、刃３６０にほとんど接した状態となる。また、外力が加えられていない状態の前ガード部材３７０の上面は、側面板３１０Ｒ１、３１０Ｌ１の上面と、略面一となるようになっている。
前ガード案内部３７２の前後方向の幅は、縦案内溝３１０Ｒ７、３１０Ｌ７の幅に略対応している。切断ユニット３００に取付けられた前ガード部材３７０は、その前ガード案内部３７２を縦案内溝３１０Ｒ７、３１０Ｌ７で案内されながら、上下に平行移動可能となる。そして、前ガード部３７１の下面に設けられた第４突起３７３と、支持板３２０の上面に設けられた第１突起３２２とはそれぞれ、第１弾性体３３１の上端と下端に固定されている。したがって、前ガード部材３７０を下向きに押すと、前ガード部材３７０は、第１弾性体３３１の上方への付勢力に抗して下方へと移動することになり、前ガード部材３７０への下向きの力がなくなると、前ガード部材３７０には、上方に移動させようとする力が第１弾性体３３１からはたらくことになる。
いずれにせよ、前ガード部材３７０は、刃３６０の前面にその前ガード部３７１をほとんど当接させた状態を保ちながら、上下に平行移動することとなる。
【００３６】
切断ユニット３００は、後ガード部材３８０を備えている。後ガード部材３８０は、本願発明でいう、刃３６０の後側にある着留部材の一例に相当する。後ガード部材３８０は、平面視略矩形の板状の後ガード部３８１を備えている。後ガード部３８１は、その前方の厚みが厚く、その後方の厚みは薄くなっている。
後ガード部３８１の前面には、前方に伸びる小さな板状の接続板３８２がその左右の幅方向の両端に２つ設けられている。接続板３８２は、後ガード部材３８０を前ガード部材３７０に固定するために用いられる。上述したように、前ガード部材３７０の前ガード案内部３７２の後面には穴が穿たれている。接続板３８２の位置及び断面形状はこの穴の位置及び断面形状に対応したものとされており、２つの接続板３８２を２つの穴に挿入することにより、後ガード部材３８０は前ガード部材３７０に固定される。この状態で、後ガード部材３８０における後ガード部３８１の前方の厚みの大きな部分の上面は、前ガード部材３７０の上面と略面一となるようになっている。
面一となった、後ガード部材３８０の後ガード部３８１の厚みの大きな部分の上面と、前ガード部材３７０の上面とは、本願発明でいう着留部に相当する。
前ガード部材３７０に取付けられた状態では、後ガード部材３８０の左右方向の両端は、縦案内切欠き３１０Ｒ８、３１０Ｌ８に収まった状態となる。上述したように前ガード部材３７０は上下方向に平行移動する。前ガード部材３７０に固定された後ガード部材３８０は、その両端を縦案内切欠き３１０Ｒ８、３１０Ｌ８に案内されながら、前ガード部材３７０とともに、上下方向に平行移動するようになっている。
前ガード部材３７０及び後ガード部材３８０が最も上方に位置する位置（図５に示した位置）が、前ガード部材３７０及び後ガード部材３８０の本願発明で言う上位置であり、前ガード部材３７０及び後ガード部材３８０が最も下方に位置する位置（図７に示した位置）が、本願発明で言う下位置である。つまり、両者は、上位置と下位置の間で、上下に平行移動を行うようになっている。
後ガード部材３８０の後ガード部３８１の厚さの小さくなっている部分の略中央には、平面視で矩形である貫通孔３８３が設けられている。貫通孔３８３は、後述する解除棒を後ガード部材３８０に取付けるために用いられる。
【００３７】
切断ユニット３００は、解除棒３９０を備えている。解除棒３９０は、側面視で略十字架型をしており、その下端が長く伸びている。解除棒３９０の上側の部分の断面形状は、後ガード部材３８０の貫通孔３８３の断面形状に対応した形状、大きさとなっている。解除棒３９０は、その上端の部分を、その前後方向に伸びた部分の上面が、後ガード部材３８０の後ガード部３８１の下面に当接した状態になるまで貫通孔３８３に挿入した状態で、後ガード部材３８０に固定される。かかる固定は例えば、接着剤による接着によって行うことができる。
解除棒３９０の下方に長く伸びている部分は、第２水平板３１０Ｒ６、３１０Ｌ６の互いに対向する面に設けられた第２切欠き３１０Ｒ６１が、右本体３１０Ｒと、左本体３１０Ｌを固定したときに形成する矩形の孔を貫通した状態で、下方に伸びる。解除棒３９０の下方は、梁３１０５の後方の下面に設けられた第３係止部３１０５２の後方に沿うようになる。
上述したように、後ガード部材３８０は、前ガード部材３７０とともに上下に平行移動する。後ガード部材３８０に固定された解除棒３９０は、前ガード部材３７０及び後ガード部材３８０とともに、上下方向に平行移動することになる。解除棒３９０は、前ガード部材３７０及び後ガード部材３８０が上位置にあるとき、その下端が、ロック部材３４０の板バネ３４５の上面に届かないようになっているが、前ガード部材３７０及び後ガード部材３８０が下位置に近づくに連れて、その下端が板バネ３４５の上面に当接し、前ガード部材３７０及び後ガード部材３８０が下位置に到達したときには、第３係止部３１０５２の下端よりもより下の位置に至るようになっている。
【００３８】
かかるテープディスペンサーの使用方法、及び動作について、図１及び図５〜７を用いて説明する。図６、図７は、図５で示したのとは異なる状態にある切断ユニット３００を、図３（Ｂ）におけるＡ−Ａと同じ位置で切断した状態を示す断面図である。
【００３９】
第１実施形態におけるテープディスペンサーは、デスクの天板の上など、適当な水平面に載置した状態で用いられる。
テープディスペンサーが用いられていない状態では、テープ１の先端付近は、面一となった、後ガード部材３８０の後ガード部３８１の厚みの大きな部分の上面と、前ガード部材３７０の上面、つまり、本願発明でいう着留部に貼り付けられた状態となっている。
このとき、ロック部材３４０は前位置にある。また、前ガード部材３７０及び後ガード部材３８０は上位置にある。前ガード部材３７０及び後ガード部材３８０の上面は、刃３６０の刃先３６１よりも高い位置にあり、刃３６０の前面には、前ガード部材３７０の前ガード部３７１が刃先３６１よりも高い位置まで存在し、刃３６０の後面には後ガード部材３８０が刃先３６１よりも高い位置に存在しているから、刃３６０の刃先３６１は露出していない。つまり、この状態では、刃３６０に由来する危険性はまったくない。
ロック部材３４０が前位置にある上述の状態では、ロック部材３４０の第１係止部３４４は、前ガード部材３７０の前ガード部３７１の下に入り込んだ状態となっている。したがって、第１係止部３４４にその下面を係止された前ガード部材３７０、及び前ガード部材３７０に固定された後ガード部材３８０は、下方に移動することができない。つまりこの状態では、ユーザが意図しないにも関わらず前ガード部材３７０及び後ガード部材３８０が下がって刃３６０の刃先３６１が露出することがないから、前ガード部材３７０及び後ガード部材３８０が下方に移動することによって刃先３６１が露出することによる危険も、防がれている。
【００４０】
ユーザがテープディスペンサーを使用するときに、ユーザはテープディスペンサーを以下のように操作する。
まず、ユーザは、ロック部材３４０のボタン部３４３を後方に押す。そうすると、ロック部材３４０は、第２弾性体３３２から与えられる前向きの付勢力に抗して、前位置から後位置に向けて徐々に後退する。ロック部材３４０の板バネ３４５の第２係止部３４５Ａは、ロック部材３４０が前位置にあるときには、梁３１０５の第３係止部３１０５２よりも前側に位置している。他方、ロック部材３４０が後方に下がっていくにつれて、第２係止部３４５Ａは、第３係止部３１０５２に徐々に押し下げられていく。更に、ロック部材３４０が押し下げられていくと、第２係止部３４５Ａはついに第３係止部３１０５２を乗り越えて、第３係止部３１０５２の後側に至りやや、板バネ３４５のバネ性によって僅かにではあるが、上方に移動する。このときの状態を、図６に示す。図６に示した、ロック部材３４０の位置が後位置である。ユーザは、ロック部材３４０が後位置に到達したことを、第２係止部３４５Ａが第３係止部３１０５２を乗り越えて、板バネ３４５が上方に移動するときに生じる振動を、クリック感として感じることで把握できる。
ロック部材３４０が後位置に到達した状態では、板バネ３４５の先端の第２係止部３４５Ａの前面が、第３係止部３１０５２の後面に係止された状態である。したがって、ロック部材３４０は、第２弾性体３３２から前向きに押されてはいるものの、前向きには移動できない。
【００４１】
ロック部材３４０を後位置に位置させた状態では、ロック部材３４０の第１係止部３４４は、前ガード部材３７０の前ガード部３７１の下方よりも後側に位置しており、前ガード部材３７０の下から抜けている。したがって、この状態では、前ガード部材３７０及びそれに固定された後ガード部材３８０は、第１弾性体３３１による上向きの付勢力を受けているから自然には下方に平行移動を行えないものの、第１弾性体３３１による付勢力を超える下向きの力を受ければ下方に平行移動できるようになる。
この状態で、ユーザは、テープ１の本願発明でいう着留部に相当する部分のやや後の部分を摘んで、テープ１の先端付近を着留部から引き剥がし、そしてテープ１を引き出す。リール２００が回転し、テープ巻体２からテープ１が巻き解かれる。テープ１をユーザが望む長さだけ引き出したら、ユーザは、テープ１を着留部、つまり後ガード部材３８０の後ガード部３８１の厚みの大きな部分の上面と、前ガード部材３７０の上面とに貼り付けたまま、着留部に貼り付けられた部分よりも更に先端側の部分を下方に引下げる。
そうすると、前ガード部材３７０及び後ガード部材３８０は、テープ１から、第１弾性体３３１から受ける上向きの付勢力よりも強い力を受けて、ともに下方に平行移動する。やがて、前ガード部材３７０及び後ガード部材３８０の上面である着留部が、刃３６０の刃先３６１より下がると、刃先３６１が露出する。刃先３６１を含めて刃３６０の上側の部分が、例えば数ｍｍ程度露出すると、刃先３６１と触れたテープ１が切断される。このときの前ガード部材３７０及び後ガード部材３８０の位置が下位置である。そして、このときの状態を示したのが図７である。なお、刃先３６１が露出するのは、テープ１が切断される僅かな時間のみである。したがって、刃３６０に由来して生じる危険は、このテープディスペンサーには殆ど無い。
テープ１が切断されると、前ガード部材３７０及び後ガード部材３８０にテープ１からはたらいていた下向きの力がなくなるので、前ガード部材３７０及び後ガード部材３８０は第１弾性体３３１からの上向きの付勢力を受けて上方に平行移動し、上位置まで戻る。
他方、前ガード部材３７０及び後ガード部材３８０が下方に平行移動を行うと、後ガード部材３８０に固定された解除棒３９０も、下方に移動していく。解除棒３９０は、その下方に位置するロック部材３４０の板バネ３４５の第２係止部３４５Ａを真下に押し下げる。第２係止部３４５Ａの上端が、第３係止部３１０５２の下端よりも下がると、第２係止部３４５Ａと第３係止部３１０５２の係止が解除される。これにより、ロック部材３４０は、第２弾性体３３２からの前向きの付勢力により、前方に移動できる状態となる。しかしながら、ロック部材３４０は僅かに前方に移動するものの、第２係止部３４５Ａと第３係止部３１０５２の係止が解除された直後の段階では、前ガード部材３７０はまだ下位置に近い位置にあるため、前ガード部材３７０における前ガード部３７１の下端の後面に、ロック部材３４０が備える第１係止部３４４の前面が当接することにより、第１係止部３４４が前ガード部３７１に係止される。したがって、ロック部材３４０は、第１係止部３４４の前面が前ガード部３７１の後面に当接する位置よりも前側に移動することができない。
その後、前ガード部材３７０及び後ガード部材３８０が、上位置に向かって戻り、前ガード部３７１の下に、第１係止部３４４が通過できるだけの隙間ができると、ロック部材３４０は、第２弾性体３３２からの前向きの付勢力により前方に移動できるようになり、前位置に復帰するまで前方に移動する。
このときの状態は、図５に示した状態と同じである。
【００４２】
つまり、第１実施形態のテープディスペンサーは、使用、つまり所定の長さだけ引き出したテープ１を切断するにあたり、まず、ボタン部３４３を後方に押し込んで、ロック部材３４０を前位置から後位置に移動させなければならない。
次いで、通常のテープディスペンサーと同じようにテープ１をリール２００から引き出し、テープ１の先端付近を着留部に貼り付けて、そこより前側のテープ１を下方に引下げる。そうすると、テープ１は切断される。テープ１が切断される前後の僅かな時間のみ、刃３６０が露出するからテープ１は切断可能となる。
ユーザが再度、テープ１を切断したいのであれば、ユーザは再度ロック部材３４０を後位置に移動させなければならない。
つまり、このテープディスペンサーによってテープ１を切断する場合にはユーザは、テープ１を切断する都度、前もって、ボタン部３４３を押し込んで、ロック部材３４０を後位置に移動させるという操作が必要となる。
【００４３】
テープディスペンサーの使用が終わったら、ユーザはテープディスペンサーをそのまま放置するか、所定の位置に移動させて片付ければ良い。そのとき、つまり、最後にテープ１を切断した状態では、前ガード部材３７０と後ガード部材３８０が上位置に移動し、ロック部材３４０は前位置に移動しており、それらは図５に示した状態となっているから、特にユーザが何らかの操作を行わなくとも、前ガード部材３７０と後ガード部材３８０は下方に平行移動しないようになっている。
つまり、使用後においても、このテープディスペンサーの刃３６０についての安全性は担保されている。
【００４４】
≪第２実施形態≫
第２実施形態によるテープディスペンサーについて説明する。
第２実施形態によるテープディスペンサーは、第１実施形態によるテープディスペンサーと殆どその構成を同じくする。
第２実施形態によるテープディスペンサーが第１実施形態の場合と異なるのは、第２実施形態のテープディスペンサーは、第１実施形態になかった次のような構成を備えるという点である。
まず、図８に示したように、第２実施形態では、側面板３１０Ｌ１にこれには限られないが、この実施形態では円形とされた孔４０１が穿たれている。この孔４０１は、側面板３１０Ｌ１を貫通している。
また、第２実施形態では、ロック部材３４０の適当な位置、これには限られないが、この実施形態では、ロック部材３４０の左側の第１係止部３４４に、孔４０２が穿たれている。
他方、第２実施形態におけるテープディスペンサーは、ロック解除部材４１０を備えている。ロック解除部材４１０は、これには限られないが、この実施形態では円形である、棒部４１１と、棒部４１１の基端に取付けられた操作部４１２とを備えている。棒部４１１の径は、第１係止部３４４に設けられた孔４０２の径に略等しく、僅かに小さい。ロック解除部材４１０は、側面板３１０Ｌ１に設けられた孔４０１を介して、その棒部４１１を、側面板３１０Ｌ１の内側に挿入した状態で、切断ユニット３００に取付けられている。ロック解除部材４１０は、側面板３１０Ｌ１の内側に位置する棒部４１１の長さを変更できるように、つまり操作部４１２を側面板３１０Ｌ１に近づけたり、離したりすることができるようになっている。なお、特に図示はしていないが、ロック解除部材４１０と側面板３１０Ｌ１には、ロック解除部材４１０が側面板３１０Ｌ１から抜け落ちないようにする、抜け落ち防止の適当な手段を設けても良い。
【００４５】
第２実施形態のテープディスペンサーの使用方法、動作は、概ね第１実施形態のテープディスペンサーの場合と同様である。
ただし、第２実施形態のテープディスペンサーにおいては、ロック部材３４０を前位置から後位置に移動させた場合に、ロック解除部材４１０を側面板３１０Ｌ１に対して押し込むと、図９（Ａ）に示したようにして、ロック解除部材４１０の棒部４１１の先端を、ロック部材３４０が備える第１係止部３４４に設けられた孔４０２に挿入することができるようになっている。
かかる操作を行った状態で、ユーザがテープ１を切断しようとしたとする。
ユーザは、第１実施形態の場合と同様に、テープ１の先端付近を着留部から引き剥がし、そしてテープ１を引き出す。テープ１をユーザが望む長さだけ引き出したら、ユーザは、テープ１を着留部に貼り付けたまま、着留部に貼り付けられた部分よりも更に先端側の部分を下方に引下げる。
そうすると、前ガード部材３７０及び後ガード部材３８０は、ともに下方に平行移動する。前ガード部材３７０及び後ガード部材３８０が、刃３６０の刃先３６１より下がり、着留部を含む前ガード部材３７０及び後ガード部材３８０が下位置まで至ると、刃先３６１が露出してテープ１が切断される。
テープ１が切断されると、前ガード部材３７０及び後ガード部材３８０にテープ１からはたらいていた下向きの力がなくなるので、前ガード部材３７０及び後ガード部材３８０は第１弾性体３３１からの上向きの付勢力を受けて上方に平行移動し、上位置まで戻る。
他方、前ガード部材３７０及び後ガード部材３８０が下方に平行移動を行うと、後ガード部材３８０に固定された解除棒３９０も、下方に移動していく。解除棒３９０は、その下方に位置するロック部材３４０の板バネ３４５の第２係止部３４５Ａを真下に押し下げる。第２係止部３４５Ａの上端が、第３係止部３１０５２の下端よりも下がると、第２係止部３４５Ａと第３係止部３１０５２の係止が解除される。前ガード部材３７０及び後ガード部材３８０が、上位置に向かって僅かに戻り、解除棒３９０が板バネ３４５乃至板バネ３４５の第２係止部３４５Ａから僅かにでも離れると、ロック部材３４０は、第２弾性体３３２からの前向きの付勢力により、前位置に復帰できる状態となる。
ここまではすべて第１実施形態の場合と同じである。
しかしながら、この場合においては、ロック部材３４０は、それが有する第１係止部３４４に穿たれた孔４０２にロック解除部材４１０の棒部４１１の先端が挿入された状態となっているので、ロック部材３４０は、第２弾性体３３２からの前向きの付勢力を受けているにも関わらず、前方に移動しない。
他方、上述したように、前ガード部材３７０及び後ガード部材３８０は上位置に復帰し、且つ下方に平行移動可能な状態となっている。
したがって、ユーザは、ボタン部３４３を押してロック部材３４０を再び後位置に移動させることなく、続けてテープ１を引き出して、テープ１を切断することができる。
【００４６】
他方、ロック解除部材４１０を側面板３１０Ｌ１に対して押し込んでいない状態（図９（Ｂ））では、ロック部材３４０の第１係止部３４４に穿たれた孔４０２には、ロック解除部材４１０の棒部４１１の先端が挿入されていない状態となっている。
この場合においては、テープディスペンサーの使用方法、及び動作は第１実施形態の場合とまったく同じである。
【００４７】
つまり、第２実施形態のテープディスペンサーの場合においては、ユーザは、「テープ１を切断する都度、ボタン部３４３を操作してロック部材３４０を後位置に移動させる動作を必要とされるという操作方法」と、「一度ロック部材３４０を後位置に移動させた後に、ロック解除部材４１０を側面板３１０Ｌ１に対して押し込むことで、テープ１を切断する都度、ボタン部３４３を操作してロック部材３４０を後位置に移動させるという動作を省略して、連続してテープ１を切断できるという操作方法」とを、ロック解除部材４１０の操作により任意に選択することができる。
第２実施形態のテープディスペンサーの使用が終わった場合にユーザに求められる行為は、第１実施形態の場合と変わらないが、ただし、後者の操作方法を選択した場合には、ユーザは最後に、ロック解除部材４１０を側面板３１０Ｌ１から引き抜く操作を行う必要がある。その操作を行えば、ロック部材３４０の第１係止部３４４に穿たれた孔４０２からロック解除部材４１０の棒部４１１の先端が抜けるから、ロック部材３４０は、第２弾性体３３２からの前向きの付勢力を受けて、前位置に復帰する。そのときの切断ユニット３００は、図５に示した状態となり、テープディスペンサーの安全性が担保された状態となる。
【符号の説明】
【００４８】
１  テープ
２  テープ巻体
１００  本体
２００  リール
３００  切断ユニット
３１０  ユニット本体
３１０２  前板
３１０３  第１切欠き
３１０４  水平板
３１０５  梁
３１０５２  第３係止部
３１０６  第２水平板
３１０６１  孔
３１０９  後板
３２０  支持板
３３１  第１弾性体
３３２  第２弾性体
３４０  ロック部材
３４３  ボタン部
３４４  第１係止部
３４５  板バネ
３４５Ａ  第２係止部
３５０  押え板
３６０  刃
３６１  刃先
３７０  前ガード部材
３７１  前ガード部
３８０  後ガード部材
３８１  後ガード部
３９０  解除棒
４１０  ロック解除部材
【図１】
2016169068.tif 000003
【図２】
2016169068.tif 000004
【図３】
2016169068.tif 000005
【図４】
2016169068.tif 000006
【図５】
2016169068.tif 000007
【図６】
2016169068.tif 000008
【図７】
2016169068.tif 000009
【図８】
2016169068.tif 000010
【図９】
2016169068.tif 000011